(57)【特許請求の範囲】
【請求項１】
縮小画像を一覧表示するとともに、前記一覧表示から選択された縮小画像に対応する元画像を表示する画像表示装置において、
所定の大きさ以上の元画像から、該元画像とは別に、複数の縮小画像を生成する生成手段と、
前記生成手段によって生成された前記複数の縮小画像を保存する保存手段と、
を具備することを特徴とする画像表示装置。
【請求項２】
前記縮小画像を複数一覧表示する場合、各々の前記縮小画像の相対表示位置が元画像に合致するように、前記縮小画像を表示する表示手段を備えたことを特徴とする請求項１記載の画像表示装置。
【請求項３】
前記縮小画像の選択順を該縮小画像の元画像における位置に応じて変更する選択順変更手段を備えたことを特徴とする請求項２記載の画像表示装置。
【請求項４】
前記元画像の大きさに基づいて、縮小画像への分割数を変更する分割数変更手段を備えたことを特徴とする請求項１記載の画像表示装置。
【請求項５】
一覧表示から選択された縮小画像に対応する元画像を表示する際、所定の縮小画像に対応する元画像を表示する元画像表示手段を具備することを特徴とする請求項１記載の画像表示装置。
【請求項６】
一覧表示から選択された縮小画像に対応する元画像を表示する際、選択された縮小画像に対応する元画像を表示する同位置表示手段を具備することを特徴とする請求項５記載の画像表示装置。
【請求項７】
前記元画像表示手段と前記同位置表示手段とによる表示方式を切り替える切替手段を具備することを特徴とする請求項６記載の画像表示装置。
【請求項８】
一覧表示から選択された縮小画像に対応する元画像を表示した際に、上下左右に隣接する元画像が存在する場合、隣接する元画像が存在する方向にスクロールするスクロール手段を具備することを特徴とする請求項１ないし７のいずれかに記載の画像表示装置。
【請求項９】
前記元画像は、横方向または縦方向のいずれかに長いパノラマ画像であることを特徴とする請求項１ないし８のいずれかに記載の画像表示装置。
【請求項１０】
前記元画像は、所定の解像度以上の画像であることを特徴とする請求項１ないし８のいずれかに記載の画像表示装置。
【請求項１１】
前記元画像は、所定の画素以上の画像であることを特徴とする請求項１ないし８のいずれかに記載の画像表示装置。
【請求項１２】
縮小画像を一覧表示するとともに、前記一覧表示から選択された縮小画像に対応する元画像を表示する画像表示装置の制御方法において、
所定の大きさ以上の元画像から、該元画像とは別に、複数の縮小画像を生成し、
該生成した複数の縮小画像を一覧表示し、
該一覧表示した前記複数の縮小画像の１つが選択されると、該選択された縮小画像に対応する前記所定の大きさ以上の元画像を表示する
ことを特徴とする画像表示装置の制御方法。
【請求項１３】
前記元画像は、横方向または縦方向のいずれかに長いパノラマ画像であることを特徴とする請求項１２に記載の画像表示装置の制御方法。
【請求項１４】
前記元画像は、所定の解像度以上の画像であることを特徴とする請求項１２に記載の画像表示装置の制御方法。
【請求項１５】
前記元画像は、所定の画素以上の画像であることを特徴とする請求項１２に記載の画像表示装置の制御方法。
【発明の詳細な説明】
【技術分野】
【０００１】
本発明は、画像の縮小画像表示を行う画像表示装置及び画像表示装置の制御方法に関する。
【背景技術】
【０００２】
従来より、画像を閲覧する場合に、画像ファイルが増えてくると、名前だけでは判別しづらいため、元画像を縮小した、いわゆるサムネイルと呼ばれる縮小画像を表示画面上に並べて表示する技術がある。縮小画像表示は所定の大きさの縮小画像を表示する枠（縮小画像表示枠）内に収まるように元画像から縮小画像を生成し、表示画面に縮小画像表示枠を並べて（例えば、縦３列×横３行）、その縮小画像表示枠内に縮小画像を表示する。そして、ユーザがいずれかの縮小画像を選択すると、選択された縮小画像の元画像が表示される。該従来技術は、パソコンソフトのみならず、携帯電話等でも使用されている。
【０００３】
また、従来技術として、元画像が横長あるいは縦長と判断された場合、所定の縦横比の縮小画像画像になるように固定して、対象画像の端部を除いた中央部分のみの縮小画像画像を作成する技術が提案されている。
【０００４】
また、画像の縮小表示としては、下記特許文献１が開示している。
【特許文献１】特開平１１−１７７９２５号公報
【発明の開示】
【発明が解決しようとする課題】
【０００５】
該縮小画像表示技術では、どのような画像であるのか、大雑把に絵柄が分かるので、視認性に優れるという利点がある。しかしながら、通常どのようなサイズの画像でも、所定の大きさの縮小画像に縮小してしまうので、縦横比が通常のカメラで撮影した画像と異なるパノラマ画像においては、縮小画像にすると、縦あるいは横に細長い棒状の画像になってしまい、直感的に対象となる画像がどのような画像であるかを認識することができないという問題がある。
【０００６】
また、パノラマ画像の中央部分に、例えば人物などの被写体がある場合には、中央部分を切り出して表示しても、どのような画像であるかをユーザが簡単に判断できるが、被写体が端部にある、あるいは中央部に特徴のない、例えば黒一色のような画像であると、中央部分を切り出すだけではユーザが簡単に判別することができないという問題がある。
【０００７】
また、両端部分を圧縮して表示する方法もあるが、両端に被写体がある場合では、両端の画像が圧縮されてつぶれてしまうので、ユーザが簡単には判別できないという問題がある。
【０００８】
また、従来技術では、縮小表示されたパノラマ画像を選択して元画像を表示させた場合、あらかじめ定められた部分が表示されるため、ユーザがパノラマ画像で見たい部分を即座に閲覧することができないという問題がある。
【０００９】
また、近年、５００万画素を超えるデジタルカメラが発売され、デジタルカメラの高画素化が進んでいる。一方、携帯機器の表示装置は携帯性を考慮しなければならないため、表示できる画素数には限界がある。このような状況において、今後、デジタルカメラの記録画素数と、表示装置の表示画素数とにさらに大きな開きが発生すると考えられる。このような状況を鑑みると、従来の縮小画像表示技術では、高画素の画像も低画素の画像も同じサイズに縮小されてしまうため、作成された高画素の画像の縮小画像は画像の縮小率が大きくなりすぎて画像がつぶれ、見難くなり、ユーザが直感的に判別できなくなるという問題がある。
【００１０】
この発明は上述した事情に鑑みてなされたもので、画像の縮小画像表示において、ユーザにとって視認性、操作性を向上させることができる画像表示装置及び画画像表示装置の制御方法を提供することを目的とする。
【課題を解決するための手段】
【００１１】
上述した問題点を解決するために、本発明では、縮小画像を一覧表示するとともに、前記一覧表示から選択された縮小画像に対応する元画像を表示する画像表示装置において、所定の大きさ以上の元画像から、該元画像とは別に、複数の縮小画像を生成する生成手段と、前記生成手段によって生成された前記複数の縮小画像を保存する保存手段と、を具備することを特徴とする。
【００１２】
また、前記縮小画像を複数一覧表示する場合、各々の前記縮小画像の相対表示位置が元画像に合致するように、前記縮小画像を表示する表示手段を備えたことを特徴とする。
また、前記縮小画像の選択順を該縮小画像の元画像における位置に応じて変更する選択順変更手段を備えたことを特徴とする。
また、前記元画像の大きさに基づいて、縮小画像への分割数を変更する分割数変更手段を備えたことを特徴とする。
また、一覧表示から選択された縮小画像に対応する元画像を表示する際、所定の縮小画像に対応する元画像を表示する元画像表示手段を具備することを特徴とする。
また、一覧表示から選択された縮小画像に対応する元画像を表示する際、選択された縮小画像に対応する元画像を表示する同位置表示手段を具備することを特徴とする。
また、前記元画像表示手段と前記同位置表示手段とによる表示方式を切り替える切替手段を具備することを特徴とする。
また、一覧表示から選択された縮小画像に対応する元画像を表示した際に、上下左右に隣接する元画像が存在する場合、隣接する元画像が存在する方向にスクロールするスクロール手段を具備することを特徴とする。
また、前記元画像は、横方向または縦方向のいずれかに長いパノラマ画像であることを特徴とする。
また、前記元画像は、所定の解像度以上の画像であることを特徴とする。
また、前記元画像は、所定の画素以上の画像であることを特徴とする。
本発明では、縮小画像を一覧表示するとともに、前記一覧表示から選択された縮小画像に対応する元画像を表示する画像表示装置の制御方法において、所定の大きさ以上の元画像から、該元画像とは別に、複数の縮小画像を生成し、該生成した複数の縮小画像を一覧表示し、該一覧表示した前記複数の縮小画像の１つが選択されると、該選択された縮小画像に対応する前記所定の大きさ以上の元画像を表示する
ことを特徴とする。
また、前記元画像は、横方向または縦方向のいずれかに長いパノラマ画像であることを特徴とする。
また、前記元画像は、所定の解像度以上の画像であることを特徴とする。
また、前記元画像は、所定の画素以上の画像であることを特徴とする。
【００１３】
この発明では、分割手段により、所定の大きさ以上の元画像を複数の縮小画像に分割し、分割された縮小画像を分割縮小画像として保存手段に保存する。したがって、画像の縮小率を下げることにつながり、大きな画像を表示できるので、視認性に優れた表示が可能となる。
【発明の効果】
【００１４】
本発明によれば、小さな画面でも縮小画像表示における画像の視認性を高め、画像を閲覧し易くすることができる。
【発明を実施するための最良の形態】
【００１５】
以下、図面を用いて本発明の実施の形態を説明する。
Ａ．実施形態の構成
図１は、本実施形態による画像表示装置の構成を示すブロック図である。また、図２は、本実施形態による画像表示装置のリンクテーブルのデータ構造を示す概念図である。本実施形態においては、「縮小画像」を「サムネイル」と総称する。図１において、サムネイル分割部１１２は、カメラで撮影した画像または、通信手段で受信した画像、あるいは外部メモリの画像を、複数のサムネイルに分割するかどうかを判断する。サムネイル分割数変更部１１３は、サムネイル分割部１１２により分割すると判断された場合、画像を所定の分割数のサムネイルに分割し、それぞれに名前を付ける。
【００１６】
位置情報付加部１１４は、サムネイルに元画像での位置を示す位置情報を付与する。サムネイル表示順変更部１１５は、サムネイル表示順を変更する。サムネイル選択順変更部１１６は、サムネイル表示を行う際のサムネイルの選択順を変更する。元画像関連付け部１１７は、元画像を関連付けて、それぞれの情報をリンクテーブル１２５に保存する。分割サムネイル記憶手段１１８は、分割されたサムネイルを記憶装置１２６に保存する。
【００１７】
リンクテーブル１２５には、図２に示すように、表示順、選択順とともに、サムネイル名、サムネイルに対応する元画像名、および元画像の位置が記憶される。サムネイル表示をする場合には、リンクテーブル１２５を参照して表示を行う。図示の例では、元画像「画像１」の場合、３つに分割されており、それぞれのサムネイルの名前が「サム１＿１」、「サム１＿２」、「サム１＿３」となっている。なお、一例として、元画像「画像１」は、縦７２０画素、横２００画素の画像ファイルからなり、該画像ファイルを対象画像とする。
【００１８】
次に、サムネイル表示部１１１は、表示部１１におけるサムネイル表示画面１０２（図１２参照）にサムネイルを表示する。サムネイル表示枠内表示部１２３は、リンクテーブル１２５を参照してサムネイル表示画面１０２に設けられたサムネイル表示枠内に図１２に示すようにサムネイル１０３、１０４等を表示する。このとき、元画像を分割したサムネイルを表示する場合には、隣接する関連するサムネイルの方向に寄せて表示するようになっている。
【００１９】
画像選択処理部１１９は、サムネイル表示中のサムネイルから任意のサムネイルを選択するためのものである。表示手段切替部１２０は、選択されたサムネイルを、元画像表示部１２１または同位置表示部１２２のどちらかを選択することで表示部１１に表示する。
【００２０】
例えば、図２に示すサムネイル「サム１＿２」が選択され、かつ元画像表示部１２１が選択された場合には、リンクテーブル１２５より元画像の所定の場所（例えば元画像の左端部または右端部、あるいは上端部または下端部）を表示部１１に表示する。あるいは、図２に示すサムネイル「サム１＿２」が選択され、かつ同位置表示部１２２が選択された場合には、リンクテーブル１２５より元画像と位置情報によりサムネイル「サム１＿２」と同じ部分の元画像を表示部１１に表示する。このとき、表示部１１で表示できない部分がある場合においては、スクロール部１２４によって表示できない部分が存在する方向に矢印を表示し、その方向にスクロールすることができるようになっている。尚、元画像の所定の場所を表示するか、サムネイルと同じ部分の場所を表示するかは、予め設定していても、その都度ユーザに選択させても良い。
【００２１】
図３は、上述した画像表示装置を適用した携帯電話の外観を示す模式図である。図３において、携帯電話１は、文字や画像等を表示する表示部１１と、表示部１１に表示されるサムネイル画像等に対する操作指示を入力するためのキー操作部１２とを備えている。なお、本実施形態では、携帯電話１を一例として説明しているが、パーソナルコンピュータ、携帯電話、ＰＤＡ、腕時計などにも適用可能である。携帯電話１は、一般的な通信機能、カメラ機能、画像の保存および閲覧機能に加えて、本実施形態による画像表示装置を有する。
【００２２】
ここで、従来技術によるサムネイル表示例について説明する。図４は、従来技術によるサムネイル表示の一例を示す模式図である。図において、従来のサムネイル表示では、元画像２１をサムネイル表示枠２２に収まるまで縮小し、サムネイル２３が表示部のサムネイル表示画面２５に表示される。通常の画像サイズのサムネイル２４は家の画像であることは容易に識別することができる。しかしながら、サムネイル２３の場合、縦横比が違いすぎるため、元画像２１のサムネイル２３が横に長い棒のように見え、画像がつぶれている。このため、ユーザは、サムネイル２３がパノラマ画像であることは認識できるが、サムネイル２３がどのような画像であるのか容易には識別できない。
【００２３】
次に、本実施形態によるサムネイル表示例について説明する。図５は、本実施形態によるサムネイル表示の一例（横長）を示す模式図である。図５に示すように、元画像２１が横に長い場合、元画像２１から分割サムネイル３１〜３４を生成し、該分割サムネイル３１〜３４を順番に表示すると、サムネイル表示画面３５のように、元画像２１の分割サムネイル３１〜３４が、林と、人と、犬と、背景の山脈を写していることが容易に分かる。また、それぞれの分割サムネイル３１〜３４が横方向に順番に内接して表示されるので、横のつながりが簡単に識別できる。
【００２４】
図６は、本実施形態によるサムネイル表示の別の一例（縦長）を示す模式図である。図６に示すように、元画像４１が縦に長い場合、元画像４１から分割サムネイル４２〜４４を生成し、該分割サムネイル４２〜４４を表示すると、サムネイル表示画面４５のように、元画像４１の分割サムネイル４２〜４４が、ビルと、ビルの手前の車を写していることが容易に分かる。
【００２５】
また、分割サムネイル４２に注目すると、サムネイル表示枠２２の下の方に画像が寄っているので、ユーザは、分割サムネイル４２の下に接して分割サムネイル４３があること分かり、分割サムネイル４２がパノラマ画像であることが簡単に識別できる。分割サムネイル４４も同様に、分割サムネイル４４の上に接して分割サムネイル４３があること分かり、分割サムネイル４４がパノラマ画像であることが簡単に識別できる。
【００２６】
さらに、図６に示す例では、サムネイル表示画面４５において、分割サムネイル４３、４４の表示の順番が変更されている。通常、サムネイル表示する場合、画像の並んでいる順番にサムネイルを表示する。つまり、単にサムネイルを複数に分割して順番通りに並べると、上段横方向に、分割サムネイル４２、分割サムネイル４３、分割サムネイル４４、次いで、中段横方向に、サムネイル４５、サムネイル４６、サムネイル４７というようになる。
【００２７】
しかしながら、元画像４１が縦に長い画像なので、分割サムネイル４２、４３、４４が横に並んでしまうと、見難くなる。このため、本実施形態では、縦に長い画像や高画素画像の場合には、元画像と元画像の前後の画像との順番を変更して表示する。すなわち、本実施形態では、サムネイルの表示順を、上段横方向に、分割サムネイル４２、サムネイル４５、サムネイル４６、次いで、中段横方向に、分割サムネイル４３、サムネイル４７、画像なし、そして、下段横方向に、分割サムネイル４４とし、元画像４１と同じように縦に長いサムネイル表示を行う。
【００２８】
Ｂ．実施形態の動作
次に、本実施形態の動作について詳細に説明する。
図７は、本実施形態において、カメラで撮影、あるいは通信手段で受信した画像のサムネイルを作成する際の動作を説明するためのフローチャートである。まず、画像がパノラマ画像であるかどうかを判別し(Ｓ１０)、パノラマ画像であれば、所定のサイズに縮小する（Ｓ１２）。例えば、画像の短手方向がサムネイル表示枠に収まるまで縮小する。次に、長手方向を複数のサムネイルに分割した場合に、所定の最大分割数以内であるかを判別し（Ｓ１６）、最大分割数以上であれば、最大分割数以内になるまで、所定のサイズに縮小する（Ｓ１２）。
【００２９】
一方、最大分割数以内であれば、対象画像の複数のサムネイルを生成する（Ｓ１８）。その後、それぞれの分割サムネイルに元画像での位置（Ｓ２０）と、元画像へのリンクを付けて（Ｓ２２）、保存する（Ｓ２４）。ここで、元画像での位置とは、分割サムネイルが元画像の左または上から何番目かを示す情報と、サムネイルの左上と右下の画素が元画像ではどの画素に当たるかを示す情報である。
【００３０】
また、ステップＳ１０において、パノラマ画像ではないと判断されたら、元画像のサムネイルを作成し（Ｓ１４）、元画像へのリンクを付け（Ｓ２２）、記憶装置１２６に保存する（Ｓ２４）。
【００３１】
次に、図８は、本実施形態において、ユーザが画像を閲覧する際にサムネイル表示を選択した場合のサムネイル表示の動作を説明するためのフローチャートである。まず、表示するサムネイルがパノラマ画像の分割サムネイルであるかどうかを判別する(Ｓ３０)。そして、パノラマ画像の分割サムネイルであれば、次にパノラマ画像の端部の分割サムネイルであるかどうかを判別する（Ｓ３２）。そして、端部の分割サムネイルであれば、サムネイル表示枠に隣接する分割サムネイルの方向に当該分割サムネイルを寄せて表示する（Ｓ３４）。
【００３２】
一方、端部の分割サムネイルでなければ、あるいはステップＳ３０においてパノラマ画像の分割サムネイルではないと判別されれば、サムネイルをサムネイル表示枠の中央部に表示する（Ｓ３６）。
【００３３】
図９は、図３に示す携帯電話１での元画像表示部１２１による表示方法および操作方法を説明するための模式図である。元画像２１が複数に分割されて表示部１１のサムネイル表示画面３５としてサムネイル表示されている。ユーザが元画像２１の分割サムネイル３４をキー操作部１２で選択すると、表示部１１が画像表示画面７１に切替り、元画像２１の予め定められた位置の部分画像７３が表示される。図９では、元画像２１の左端の部分画像７３を表示しているが、例えば、ユーザが右端の部分を見ようとするときは、矢印７２の方向にキー操作部１２でスクロールすることができる。
【００３４】
図１０は、図３に示す携帯電話１での同位置表示部１２２による表示方法および操作方法を説明するための模式図である。元画像２１が複数に分割されて表示部１１のサムネイル表示画面３５にサムネイル表示されている。ユーザが元画像２１の分割サムネイル３４をキー操作部１２で選択すると、分割サムネイル３４に関連付けられた位置情報をリンクテーブル１２５から参照して、分割サムネイル３４と同じ部分の部分画像８３が表示部１１を画像表示画面８１に切替えて表示される。このため、パノラマ画像の見たい部分をすぐに見ることができる。また、部分画像８３の上下左右に他に画像があれば、その方向に矢印８２を表示し、矢印８２の指している方向にキー操作部１２でスクロールすることができる。
【００３５】
次に、図１１は、本実施形態において、元画像表示部１２１による表示方法と同位置表示部１２２による表示方法との切替動作を説明するための模式図である。図１１（ａ）に示すように、元画像２１が複数に分割されてサムネイル表示画面３５にサムネイル表示がされている状態で、ユーザが元画像２１の分割サムネイル３１〜３４のいずれかを選択すると、図１１（ｂ）に示すように、元画像表示部１２１による表示方法を選択するための選択肢９１、同位置表示部１２２による表示方法を選択するための選択肢９２、および図１１（ａ）に示すサムネイル表示画面３５に戻るための選択肢９３が表示される。なお、選択肢とは、クリック操作等によって所定の機能を果たす表示部分をいう。
【００３６】
図１１（ａ）に示すサムネイル表示画面３５において、ユーザによって、分割サムネイル３４が選択された後、図１１（ｂ）に示す画面において、選択肢９２が選択されると、同位置表示部１２２により、図１１（ｃ）に示すように、画像表示画面８１に切替わり分割サムネイル３４と同じ部分の部分画像８３が表示される。
【００３７】
一方、図１１（ａ）に示すサムネイル表示画面３５において、ユーザによって、分割サムネイル３４が選択された後、図１１（ｂ）に示す画面において、選択肢９１が選択されると、元画像表示部１２１により、図１１（ｄ）に示すように、画像表示画面８１に切替わり、予め定められた部分画像７３が表示される。
【００３８】
また、図１１（ｂ）に示す画面において、選択肢９３が選択されると、図１１（ａ）に示すサムネイル表示画面３５の状態に戻る。このように、ユーザは、表示方法を選択することができる。また、選択方法は、その都度選択する方法以外に、予めどちらかの表示方法を設定しておき、その都度選択することのないようにしてもよい。
【００３９】
次に、図１２は、本実施形態において、元画像が高画素画像の場合におけるサムネイル表示例を説明するための模式図である。図１２において、元画像１０１から分割サムネイル１０４〜１０７を生成し、分割サムネイル１０４〜１０７を順番に内接するようにサムネイル表示を行うと、サムネイル表示画面１０２のように、元画像１０１の分割サムネイル１０４〜１０７が、家を写していることが容易に分かる。また、それぞれ内接して表示されるので、上下左右のつながりが簡単に識別できる。
【００４０】
さらに、画像選択時にはサムネイルの選択順序がサムネイル１０３、分割サムネイル１０４、分割サムネイル１０５、分割サムネイル１０６、分割サムネイル１０７、サムネイル１０８の順で選択できる。
【００４１】
本実施形態では、従来の表示装置のように、画像が単に１つの縮小画像として縮小され、どのような画像であるかをユーザが識別できなかったことに対して、画像を複数の縮小画像に分割して縮小画像表示を行うので、ユーザにとって画像の全体像が把握しやすくなるという利点がある。また、通常のパソコンのモニタなどで縮小画像表示を行っても、画像が単に縮小されるだけでは、携帯電話と同様に全体像を把握しづらいものもあるので、縮小画像が分割されて大きく表示されることは、小さな表示装置以外においても有用な技術である。
【００４２】
また、表示手段により、前記分割縮小画像を一覧表示する際の各々の相対表示位置が元画像に対する分割位置に合致するように、前記分割縮小画像の表示を変更するようにしたので、一見しただけで縮小画像がどのような画像であるかをユーザが容易に区別できる。
【００４３】
また、選択順変更手段により、縮小画像の元画像における位置に応じて前記分割縮小画像の選択順を変更するようにしたので、同じ画像の分割縮小画像が上下左右にある場合に、分割縮小画像のすべてを順番に選択できる。これによって、例えば分割縮小画像が縦横に２枚ずつ、合計４枚あった場合に、左上の分割縮小画像から右下の分割縮小画像まで順番に選択できる。
【００４４】
また、分割数変更手段により、元画像の分割数を元画像の大きさによって自動で変更するようにしたので、ユーザが分割数を増やすような操作をしなくてもよく、ユーザは画像の中身を識別できるようになる。
【００４５】
また、元画像表示手段により、一覧表示から選択された分割縮小画像に対応する元画像を表示する際に、所定の分割縮小画像に対応する元画像を表示するようにしたので、ユーザがどの縮小画像を選択しても元画像を確実に表示することができる。
【００４６】
また、同位置表示手段により、一覧表示から選択された分割縮小画像に対応する元画像を表示する際に、選択された分割縮小画像に対応する元画像を表示するようにしたので、ユーザがパノラマ画像の見たい部分をすばやく、簡単に見ることができる。
【００４７】
また、切替手段により、前記元画像表示手段と前記同位置表示手段とによる表示方式を切り替えるようにしたので、ユーザが表示方法を選択できる。
【００４８】
また、一覧表示から選択された分割縮小画像に対応する元画像を表示した際に、上下左右に隣接する元画像が存在する場合、スクロール手段により、隣接する元画像が存在する方向にスクロールするようにしたので、視認性に優れ、また表示を前の状態にすることなしに操作できるので、操作性がよい。
【図面の簡単な説明】
【００４９】
【図１】本実施形態による画像表示装置の構成を示すブロック図である。
【図２】本実施形態による画像表示装置のリンクテーブルのデータ構造を示す概念図である。
【図３】画像表示装置を適用した携帯電話の外観を示す模式図である。
【図４】従来技術によるサムネイル表示の一例を示す模式図である。
【図５】本実施形態によるサムネイル表示の一例（横方向に長い画像の処理例）を示す模式図である。
【図６】本実施形態によるサムネイル表示の別の一例（縦方向に長い画像の処理例）を示す模式図である。
【図７】本実施形態において、画像のサムネイルを作成する際の動作を説明するためのフローチャートである。
【図８】本実施形態において、サムネイル表示の動作を説明するためのフローチャートである。
【図９】図３に示す携帯電話１での元画像表示部１２１による表示方法および操作方法を説明するための模式図である。
【図１０】図３に示す携帯電話１での同位置表示部１２２による表示方法および操作方法を説明するための模式図である。
【図１１】本実施形態において、元画像表示部１２１による表示方法と同位置表示部１２２による表示方法との切替動作を説明するための模式図である。
【図１２】本実施形態において、元画像が高画素画像の場合におけるサムネイル表示例を説明するための模式図である。
【符号の説明】
【００５０】
１  表示装置          １１  表示部    １２  キー操作部        ２１  元画像
２２  サムネイル表示枠  ２３  サムネイル
２４  通常の画像サイズのサムネイル      ２５  サムネイル表示画面
３１〜３４  分割サムネイル              ３５  サムネイル表示画面
４１  元画像                            ４２〜４４  分割サムネイル
４５  サムネイル表示画面                ７１  画像表示画面
７２  矢印                              ７３  部分画像
８１  画像表示画面                      ８２  矢印
８３  部分画像                          ９１〜９３  選択肢
１０１  元画像                          １０２  サムネイル表示画面
１０３  サムネイル                      １０４〜１０７  分割サムネイル
１０８  サムネイル                      １１１  サムネイル表示部
１１２  サムネイル分割部
１１３  サムネイル分割数変更部
１１４  位置情報付加部
１１５  サムネイル表示順変更部
１１６  サムネイル選択順変更部
１１７  元画像関連付け部                １１８  分割サムネイル記憶部
１１９  画像選択処理部                  １２０  表示手段切替部
１２１  元画像表示部                    １２２  同位置表示部
１２３  サムネイル表示枠内表示部        １２４  スクロール部
１２５  リンクテーブル                  １２６  記憶装置
【図１】
0004837248.tif 000002
【図２】
0004837248.tif 000003
【図３】
0004837248.tif 000004
【図４】
0004837248.tif 000005
【図５】
0004837248.tif 000006
【図６】
0004837248.tif 000007
【図７】
0004837248.tif 000008
【図８】
0004837248.tif 000009
【図９】
0004837248.tif 000010
【図１０】
0004837248.tif 000011
【図１１】
0004837248.tif 000012
【図１２】
0004837248.tif 000013